(57)【要約】  状況に適合した使用が可能な照明装置を提供する。ＬＥＤ照明灯から照明器具が取得する交換時期情報または照明器具自体が記憶する交換時期情報をＬＥＤ照明灯のオン／オフ制御専用のスイッチ制御線を介して手元コントローラで把握する。または汎用の電力線を通じて交換時期情報の取得およびＬＥＤ照明灯のオン／オフ制御を手元コントローラにて行う。ＬＥＤ照明灯の非点灯時に交換時期情報を照明器具から取得することにより点灯時ノイズに係らず簡易な情報伝達手段で交換情報を取得する。長期間後の報知に備え、交換時期情報取得機能を日常的に確認する。交換時期判定結果を記憶して適切な時期に報知を実行する。ＬＥＤ照明灯自身が保持する交換時期情報を簡易な情報伝達手段でまず照明器具に伝達し、照明器具と手元コントローラ間に元々存在する制御経路を流用してこれを把握する。
2010061827.tif 000002
【特許請求の範囲】
【請求項１】
ＬＥＤ照明灯を光源とする照明器具と、
前記ＬＥＤ照明灯の点灯を遠隔制御するとともに前記照明器具から前記ＬＥＤ照明灯の交換時期に関する情報を遠隔受信する遠隔制御装置と
を有することを特徴とする照明装置。
【請求項２】
前記ＬＥＤ照明灯の交換時期に関する情報を記憶する記憶部を前記照明器具に備えたことを特徴とする請求項１記載の照明装置。
【請求項３】
前記ＬＥＤ照明灯は前記照明器具に着脱可能に構成されるとともに、前記ＬＥＤ照明灯の装着によって前記記憶部は前記交換時期に関する情報を記憶することを特徴とする請求項２記載の照明装置。
【請求項４】
前記ＬＥＤ照明灯は前記照明器具に着脱可能に構成されるとともに、前記ＬＥＤ照明灯が保持する交換時期に関する情報を前記ＬＥＤ照明灯から取得する取得部を前記照明器具に備えたことを特徴とする請求項１記載の照明装置。
【請求項５】
前記制御部から前記照明器具への制御ルートと前記照明器具から前記受信部への前記ＬＥＤ照明灯の交換時期に関する情報の伝達ルートが共通であることを特徴とする請求項１記載の照明装置。
【請求項６】
前記制御ルートと前記伝達ルートが電力線であることを特徴とする請求項５記載の照明装置。
【請求項７】
前記制御ルートが前記ＬＥＤ照明灯のオンオフを制御するスイッチ制御信号伝達ルートであるとともに、前記スイッチ制御信号伝達ルートが前記ＬＥＤ照明灯の交換時期に関する情報の伝達ルートとして兼用されることを特徴とする請求項５記載の照明装置。
【請求項８】
前記ＬＥＤ照明灯は前記照明器具に着脱可能に構成されるとともに、前記照明器具は、前記ＬＥＤ照明灯の交換時期に関する情報を記憶するための記憶部と、前記ＬＥＤ照明灯の装着によって前記記憶部に前記交換時期に関する情報を記憶させる制御部と、前記記憶部に記憶される前記ＬＥＤ照明灯の交換時期に関する情報を外部に送信する送信部とを有することを特徴とする請求項１記載の照明装置。
【請求項９】
前記ＬＥＤ照明灯は前記照明器具に着脱可能に構成されるとともに、前記照明器具は、前記ＬＥＤ照明灯が有する交換時期に関する情報を前記ＬＥＤ照明灯から取得する取得部と、前記取得部が取得した前記ＬＥＤ照明灯の交換時期に関する情報を外部に送信する送信部とを有することを特徴とする請求項１記載の照明装置。
【請求項１０】
前記遠隔制御装置は、受信した前記ＬＥＤ照明灯の交換時期に関する情報に基づく表示を行う表示部を有することを特徴とする請求項１記載の照明装置。
【請求項１１】
前記表示部は、前記ＬＥＤ照明灯の点灯の遠隔制御に関連して前記ＬＥＤ照明灯の交換時期に関する情報に基づく表示を行うことを特徴とする請求項１０記載の照明装置。
【請求項１２】
前記遠隔制御装置は、前記ＬＥＤ照明灯の非点灯時に前記照明器具から前記ＬＥＤ照明灯の交換時期に関する情報を受信することを特徴とする請求項１記載の照明装置。
【請求項１３】
前記遠隔制御装置は、前記受信部による前記ＬＥＤ照明灯の交換時期に関する情報の受信に先立って前記ＬＥＤ照明灯を非点灯状態に制御することを特徴とする請求項１２記載の照明装置。
【請求項１４】
前記制御装置は、前記受信部による前記ＬＥＤ照明灯の交換時期に関する情報の受信後に前記ＬＥＤ照明灯を点灯状態に制御することを特徴とする請求項１２記載の照明装置。
【請求項１５】
ＬＥＤ照明灯を光源とする照明器具と、
前記照明器具から前記ＬＥＤ照明灯の交換時期に関する情報を受信する受信部および前記受信部の機能を自動的に確認する確認部を備えた制御装置と
を有することを特徴とする照明装置。
【請求項１６】
前記制御装置は、前記ＬＥＤ照明灯の点灯を遠隔制御する制御部を有するとともに、前記制御部による前記ＬＥＤ照明灯の点灯制御に関連して前記照明器具から前記ＬＥＤ照明灯の交換時期に関する情報を自動的に受信することを特徴とする請求項１５記載の照明装置。
【請求項１７】
前記制御装置は、前記受信部の機能の自動確認結果を表示する表示部を有することを特徴とする請求項１５記載の照明装置。
【請求項１８】
ＬＥＤ照明灯を光源とする照明器具と、
前記照明器具から前記ＬＥＤ照明灯の交換時期に関する情報を前記ＬＥＤ照明灯の非点灯時に受信する受信部を備えた制御装置と、
を有することを特徴とする照明装置。
【請求項１９】
前記制御装置は、前記受信部による前記ＬＥＤ照明灯の交換時期に関する情報の受信に先立って前記ＬＥＤ照明灯を非点灯状態に制御する制御部を有することを特徴とする請求項１８記載の照明装置。
【請求項２０】
前記制御装置は、前記受信部による前記ＬＥＤ照明灯の交換時期に関する情報の受信後に前記ＬＥＤ照明灯を点灯状態に制御する制御部を有することを特徴とする請求項１８記載の照明装置。
【発明の詳細な説明】
【技術分野】
【０００１】
本発明は、照明装置およびこれに用いられる照明灯に関する。
【背景技術】
【０００２】
従来種々の目的のために種々の照明装置が提案されている。照明装置に用いられる光源として最も古典的なものは白熱電球であるが、その後蛍光灯が普及し、さらに目的によっては水銀灯も用いられてきた。また、近年ＬＥＤの利用が進み、白色ＬＥＤを蛍光灯と互換可能に構成して一般の天井照明に用いることも提案されている（特許文献１）。一方、照明装置の制御についても種々の提案がなされている。例えば、多数の蛍光灯にそれぞれ貼り付けられたＩＣタグシールと建物内全てを電磁波通信でカバーする単一のＩＣタグリーダライタとの通信により、各蛍光灯が使用開始から一定の寿命時間が経過するとその交換を自動的に通報することが提案されている（特許文献２）。また、調光式インパータをそれぞれ備える多数の蛍光灯を電力線通信により単一の調光コントローラで調光制御することも提案されている（特許文献３）。
【先行技術文献】
【特許文献】
【０００３】
【特許文献１】特開２００４−３３５４２６号公報
【特許文献２】特開２００６−８５３４４号公報
【特許文献３】特開２００７−１０９４２１号公報
【発明の概要】
【発明が解決しようとする課題】
【０００４】
しかしながら、種々の使用状況に適合した照明装置の提供に関しては、さらに検討すべき課題が多い。【０００５】
本発明の課題は、上記に鑑み、状況に適合した使用が可能な照明装置を提供することにある。
【課題を解決するための手段】
【０００６】
上記の目的を達成すべく、本明細書中に開示されている照明装置は、ＬＥＤ照明灯を光源とする照明器具と、前記ＬＥＤ照明灯の点灯を遠隔制御するとともに前記照明器具から前記ＬＥＤ照明灯の交換時期に関する情報を遠隔受信する遠隔制御装置と、を有する構成（第１の構成）とされている。【０００７】
なお、上記第１の構成から成る照明装置は、前記ＬＥＤ照明灯の交換時期に関する情報を記憶する記憶部を前記照明器具に備えた構成（第２の構成）にするとよい。【０００８】
また、上記第２の構成から成る照明装置において、前記ＬＥＤ照明灯は前記照明器具に着脱可能に構成されるとともに、前記ＬＥＤ照明灯の装着によって前記記憶部は前記交換時期に関する情報を記憶する構成（第３の構成）にするとよい。【０００９】
また、上記第１の構成から成る照明装置において、前記ＬＥＤ照明灯は前記照明器具に着脱可能に構成されるとともに、前記ＬＥＤ照明灯が保持する交換時期に関する情報を前記ＬＥＤ照明灯から取得する取得部を前記照明器具に備えた構成（第４の構成）にするとよい。【００１０】
また、上記第１の構成から成る照明装置は、前記制御部から前記照明器具への制御ルートと前記照明器具から前記受信部への前記ＬＥＤ照明灯の交換時期に関する情報の伝達ルートが共通である構成（第５の構成）にするとよい。【００１１】
また、上記第５の構成から成る照明装置は、前記制御ルートと前記伝達ルートが電力線である構成（第６の構成）にするとよい。【００１２】
また、上記第５の構成から成る照明装置は、前記制御ルートが前記ＬＥＤ照明灯のオンオフを制御するスイッチ制御信号伝達ルートであるとともに、前記スイッチ制御信号伝達ルートが前記ＬＥＤ照明灯の交換時期に関する情報の伝達ルートとして兼用される構成（第７の構成）にするとよい。【００１３】
また、上記第１の構成から成る照明装置において、前記ＬＥＤ照明灯は前記照明器具に着脱可能に構成されるとともに、前記照明器具は、前記ＬＥＤ照明灯の交換時期に関する情報を記憶するための記憶部と、前記ＬＥＤ照明灯の装着によって前記記憶部に前記交換時期に関する情報を記憶させる制御部と、前記記憶部に記憶される前記ＬＥＤ照明灯の交換時期に関する情報を外部に送信する送信部とを有する構成（第８の構成）にするとよい。【００１４】
また、上記第１の構成から成る照明装置において、前記ＬＥＤ照明灯は前記照明器具に着脱可能に構成されるとともに、前記照明器具は、前記ＬＥＤ照明灯が有する交換時期に関する情報を前記ＬＥＤ照明灯から取得する取得部と、前記取得部が取得した前記ＬＥＤ照明灯の交換時期に関する情報を外部に送信する送信部とを有する構成（第９の構成）にするとよい。【００１５】
また、上記第１の構成から成る照明装置において、前記遠隔制御装置は、受信した前記ＬＥＤ照明灯の交換時期に関する情報に基づく表示を行う表示部を有する構成（第１０の構成）にするとよい。【００１６】
また、上記第１０の構成から成る照明装置において、前記表示部は、前記ＬＥＤ照明灯の点灯の遠隔制御に関連して前記ＬＥＤ照明灯の交換時期に関する情報に基づく表示を行う構成（第１１の構成）にするとよい。【００１７】
また、上記第１の構成から成る照明装置において、前記遠隔制御装置は、前記ＬＥＤ照明灯の非点灯時に前記照明器具から前記ＬＥＤ照明灯の交換時期に関する情報を受信する構成（第１２の構成）にするとよい。【００１８】
また、上記第１２の構成から成る照明装置において、前記遠隔制御装置は、前記受信部による前記ＬＥＤ照明灯の交換時期に関する情報の受信に先立って前記ＬＥＤ照明灯を非点灯状態に制御する構成（第１３の構成）にするとよい。【００１９】
また、上記第１２の構成から成る照明装置において、前記制御装置は、前記受信部による前記ＬＥＤ照明灯の交換時期に関する情報の受信後に前記ＬＥＤ照明灯を点灯状態に制御する構成（第１４の構成）にするとよい。【００２０】
また、本明細書中に開示されている照明装置は、ＬＥＤ照明灯を光源とする照明器具と、前記照明器具から前記ＬＥＤ照明灯の交換時期に関する情報を受信する受信部および前記受信部の機能を自動的に確認する確認部を備えた制御装置とを有する構成（第１５の構成）とされている。【００２１】
なお、上記第１５の構成から成る照明装置において、前記制御装置は、前記ＬＥＤ照明灯の点灯を遠隔制御する制御部を有するとともに、前記制御部による前記ＬＥＤ照明灯の点灯制御に関連して前記照明器具から前記ＬＥＤ照明灯の交換時期に関する情報を自動的に受信する構成（第１６の構成）にするとよい。【００２２】
また、上記第１６の構成から成る照明装置において、前記制御装置は、前記受信部の機能の自動確認結果を表示する表示部を有する構成（第１７の構成）にするとよい。【００２３】
また、本明細書中に開示されている照明装置は、ＬＥＤ照明灯を光源とする照明器具と、前記照明器具から前記ＬＥＤ照明灯の交換時期に関する情報を前記ＬＥＤ照明灯の非点灯時に受信する受信部を備えた制御装置と、を有する構成（第１８の構成）とされている。【００２４】
なお、上記第１８の構成から成る照明装置において、前記制御装置は、前記受信部による前記ＬＥＤ照明灯の交換時期に関する情報の受信に先立って前記ＬＥＤ照明灯を非点灯状態に制御する制御部を有する構成（第１９の構成）にするとよい。【００２５】
また、上記第１８の構成から成る照明装置において、前記制御装置は、前記受信部による前記ＬＥＤ照明灯の交換時期に関する情報の受信後に前記ＬＥＤ照明灯を点灯状態に制御する制御部を有する構成（第２０の構成）にするとよい。
【発明の効果】
【００２６】
本発明によると、種々の使用状況に適合した照明装置を提供することが可能となる。
【図面の簡単な説明】
【００２７】
【図１】本発明の実施の形態に係る長管蛍光灯型ＬＥＤ照明灯管の斜視図である。
【図２】図１の内部構成を示す一部斜視図である。
【図３】ＬＥＤ照明灯管を含む本発明の照明システムの第１実施例を示すブロック図である。
【図４】ＬＥＤ照明灯管を含む本発明の照明システムの第２実施例を示すブロック図である。
【図５】図４の第２実施例におけるスイッチ制御線による通信の詳細を示すブロック図である。
【図６】ＬＥＤ照明灯管を含む本発明の照明システムの第３実施例を示すブロック図である。
【図７】ＬＥＤ照明灯管を含む本発明の照明システムの第３実施例を示すブロック図である。
【図８】図７の第４実施例における電力線通信の詳細を示すブロック図である。
【図９】各実施例における手元制御部の機能のフローチャートである。
【発明を実施するための形態】
【００２８】
図１は、本発明の実施の形態に係る長管蛍光灯型ＬＥＤ照明灯管の斜視図である。本発明のＬＥＤ照明灯管２は、通常の長管蛍光灯管と同様の外観であり、押し出し成型により製造されるポリカーボネートからなる長管部４およびその両端の口金部６および８を有している。本発明のＬＥＤ照明灯管は、このような構成をとることにより、通常の長管蛍光灯管の照明器具に代替装着可能となっている。
【００２９】
図２は、図１の内部構成を示す一部斜視図であり、同一部分には同一番号を付す。図２においては、説明の必要上、長管部４が透明で内部の構成が見えるような図示をしているが、実際の長管部４は、拡散透過性乳白色をしていてその内部の様子は見えない。白色ＬＥＤ１０、１２および１４等は基板部１６に固定されており、その発光方向は二本の接続ピン１８、２０の方向と所定の角度関係に固定されている。これによって、例えば二本の接続ピン１８、２０が水平方向になるよう照明器具に取り付けられると白色ＬＥＤ１０、１２および１４等の発光方向は下を向くようになる。基板部１６の裏側にはアルミニウムなどからなる放熱板２２が配置されており、白色ＬＥＤ１０、１２および１４等が発熱して発光効率が低下するのを防止している。
【００３０】
図３は、図１および図２に示したＬＥＤ照明灯管２を含む本発明の照明システムの第１実施例を示すブロック図である。照明システムは作業場３２の天井に設けられた照明器具３４およびそのオン／オフ等を制御するための手元コントローラ３６等を含む。作業場３２は天井が高く、照明器具３４のメンテナンスやＬＥＤ照明灯管２の交換が容易でない環境にある。照明器具３４および手元コントローラ３６は電力線３８から給電を受けている。なお、後述するように電力線３８は電力線通信（ＰＬＣ）による信号の通信路にもなっている。
【００３１】
照明器具３４に取り外し可能に装着されるＬＥＤ照明灯管２は、図１および図２に示した構造のものである。なお、図３では、ＬＥＤ照明灯管２が装着されているが、照明器具３４はＬＥＤ照明灯管２の代わりに通常の長管蛍光灯管も装着可能なものである。ＬＥＤ照明灯管２には、電力線３８からＰＬＣ分波合成部４０を介して電源部４２から点灯のための電力が供給される。
【００３２】
照明器具制御部４４は、電源部４２から給電されるとともに、電力線３８からＰＬＣ分波合成部４０により分波されたオン／オフ信号に応答して電源部４２を制御することによりＬＥＤ照明灯管２を点灯または消灯させる。このオン／オフ信号は、手元コントローラ３６から電力線３８に合成され、電力線３８を介して照明器具３２に伝達される。具体的には、手元コントローラ３６の手元制御部４６が、操作部４８のオン／オフ手動操作を検出し、これをＰＬＣ分波合成部５０で電力線３８に合成する。
【００３３】
図３では、以上説明した各ブロックの間の電力の配給を太矢印で図示し、信号のやりとりを細矢印で図示している。また、電力線３８とＰＬＣ分波合成部４０の間は、電力の伝達と信号のやりとりの両者が同じ電力線を介して行われているので、これらをそれぞれ太矢印とその中の白抜きの細矢印で示している。この図示ルールは以下の説明でも共通である。
【００３４】
次に、長管蛍光灯型ＬＥＤ照明灯管２の交換管理について説明する。上記のように、作業場３２は天井が高く、照明器具３４のメンテナンスや照明灯管の交換が容易でない環境にある。この点で、通常の蛍光灯管に比べて格段に長い寿命を持つＬＥＤ照明灯管２は、長期間交換が不要であり、そのような環境における使用に最適である。しかしながら、その反面、長期間メンテナンスフリー状態が続くと前回の交換に関する記憶または記録が消失する可能性も高く、次回交換時期の管理をどうするかが問題となる。さらに、通常の蛍光灯管では、その寿命末期において点灯状態に明らかな異常が表れるかまたは点灯不能状態となるので交換の必要性は明確にわかる。これに対し、ＬＥＤ照明灯管２は長期間の使用によって徐々に明るさが低下するだけで、明らかな異常状態や点灯不能状態が生じない。従って、そのような照明下で作業をしている人間にとっては明るさの低下がわからず、気づかないうちに照度不足の環境下で作業をしているという結果に陥る可能性もある。
【００３５】
このような問題に対処するため、図３における本発明の照明システムの第１実施例では、個々の長管蛍光灯型ＬＥＤ照明灯管２が照明器具３２に装着された時にこれを機械的に検出する機械的交換センサ５２を照明器具３２の各装着部に設けている。この機械的交換センサ５２による長管蛍光灯型ＬＥＤ照明灯管２の装着検出は照明器具制御部４４に伝えられる。照明器具制御部４４はこれに応じて電力線３８を介して手元制御部４６と通信し、時計５４からえられる現在の年月日情報の出力を求める。照明器具制御部４４は、電力線３８を介してこの年月日情報を受け取り、交換時期情報不揮発メモリ５６に、受け取った年月日情報および機械的交換センサ５２のＩＤを記憶させる。これによって、個々の長管蛍光灯型ＬＥＤ照明灯管２の装着年月日が照明器具３２に記憶される。このように照明器具３４側に交換時期情報不揮発メモリ５６を持たせ、機械的交換センサ５２による長管蛍光灯型ＬＥＤ照明灯管２の装着情報を記憶させる構成によれば、格別の交換時期情報を持たない長管蛍光灯型ＬＥＤ照明灯管２の交換にも対応でき、汎用性が高まる。
【００３６】
機械的交換センサ５２のＩＤを指定して特定の長管蛍光灯型ＬＥＤ照明灯管２の交換時期をチェックする操作が操作部４８によってなされたとき、手元制御部４６は電力線３８を介して照明器具制御部４４と通信し、交換時期情報不揮発メモリ５６から指定された機械的交換センサ５２に対応する長管蛍光灯型ＬＥＤ照明灯管２の交換年月日情報が読み出されて電力線３８に出力される。手元制御部４６はこれを受けて時計５４の現在年月日情報と比較し、交換時期が到来していればこれを表示部５８に表示する。電源部６０は、ＰＬＣ分波合成部５０を介して電力線３８から給電される電力を手元制御部４６および表示部５８に供給する。
【００３７】
図４は、図１および図２に示したＬＥＤ照明灯管２を含む本発明の照明システムの第２実施例を示すブロック図である。その構成は図３と同様の部分が多いので、同一の部分には同一番号を付し、必要がない限り説明は省略する。また、詳細は異なるが、図３と機能が対応する部分には、百番台の番号を付すとともにその下二桁を同じ数字にして対応関係を示す。図４の第２実施例が図３の第１実施例と異なるのは、照明器具１３４と手元コントローラ１３６の通信が電力線１３８を介した電力線通信ではなく、スイッチ制御線２０２を介した電力線通信であることである。なお、スイッチ制御線２０２は、汎用の電力線１３８ではないが、スイッチをオンした場合には照明器具１３４への電力供給路の一部となるので、本明細書では広義に電力線通信と称することとする。その違いの詳細は後述する。
【００３８】
図３の第１実施例では、照明器具３４のオンオフ信号が汎用の電力線３８を介して行われ、照明器具３４専用のスイッチ制御線はないが、図４の第２実施例では上記のように照明器具３４のオンオフ信号は専用のスイッチ制御線２０２によって行われる。具体的に述べると、通常の照明器具と同様にして電力線１３８から長管蛍光灯型ＬＥＤ照明灯管２への給電路の一部が電源部１４２において引き出され、スイッチ制御線２０２によってスイッチ２０４に接続されている。従ってスイッチ２０４がオンされると電力線１３８から長管蛍光灯型ＬＥＤ照明灯管２への給電路が閉じて長管蛍光灯型ＬＥＤ照明灯管２が点灯するとともに、スイッチ２０４がオフされるとその給電路が開いて長管蛍光灯型ＬＥＤ照明灯管２が消灯するものである。
【００３９】
ＰＬＣ分波合成部２０６はスイッチ制御線２０２が照明器具１３４に引き込まれた部分と電源部との間に設けられ、照明器具制御部１４４からの信号をスイッチ制御線２０２に合成するとともにスイッチ制御線上の信号を分波して照明器具制御部１４４に送る。一方、ＰＬＣ分波合成部２０８はスイッチ制御線２０２が手元コントローラ１３６に引き込まれた部分とスイッチ２０４との間に設けられ、手元制御部１４６からの信号をスイッチ制御線２０２に合成するとともにスイッチ制御線上の信号を分波して手元制御部１４６に送る。
【００４０】
以上の構成により、手元コントローラ１３６の手元制御部１４６は、操作部４８のオン／オフ手動操作を検出し、その結果に基づいてスイッチ２０４をオンオフする。これによって、電力線１３８から長管蛍光灯型ＬＥＤ照明灯管２への給電路が開閉し、長管蛍光灯型ＬＥＤ照明灯管２が点灯または消灯する。一方、長管蛍光灯型ＬＥＤ照明灯管２の装着検出時における交換時期情報不揮発メモリ５６への年月日書き込みのための照明器具制御部１４４と手元制御部１４６との通信、および操作部４８操作時に基づく交換時期チェックのための照明器具制御部１４４と手元制御部１４６との通信は、ＰＬＣ分波合成部２０６およびＰＬＣ分波合成部２０８を介したスイッチ制御線２０２経由により行われる。
【００４１】
図５は、図４の第２実施例におけるスイッチ制御線２０２による電力線通信の詳細を示すことを目的とするブロック図であり、対応する構成には同一番号を付す。また、図５では、図４の構成のうち上記の目的に関連しない部分の図示を省略している。図５から明らかなように電力線１３８から引き込まれた電力線はその第１線２１２が長管蛍光灯型ＬＥＤ照明灯管２に直結しているのに対し、第２線２１４は電源部１４２において第１スイッチ制御線２１６および第２スイッチ制御線２１８として引き出され、スイッチ２０４に接続されている。従って、スイッチ２０４が閉じられると第１スイッチ制御線２１６および第２スイッチ制御線２１８間が接続して長管蛍光灯型ＬＥＤ照明灯管２が点灯するとともに、スイッチ２０４が開かれると第１スイッチ制御線２１６および第２スイッチ制御線２１８間の接続が断たれて長管蛍光灯型ＬＥＤ照明灯管２が消灯する。
【００４２】
ＰＬＣ分波合成部２０６、２０８は、第１スイッチ制御線２１６および第２スイッチ制御線２１８の高周波成分のみをそれぞれ照明器具制御部１４４および手元制御部１４６に伝達するものであり、これによって、照明器具制御部１４４と手元制御部１４６との通信が可能となる。但し、スイッチ２０４が閉じると第１スイッチ制御線２１６および第２スイッチ制御線２１８が同電位となるため、通信は、スイッチ２０４を開くことにより第１スイッチ制御線２１６および第２スイッチ制御線２１８間の接続が断たれて長管蛍光灯型ＬＥＤ照明灯管２が消灯している状態で行われる。
【００４３】
図６は、図１および図２に示したＬＥＤ照明灯管２を含む本発明の照明システムの第３実施例を示すブロック図である。その構成は図３と同様の部分が多いので、同一の部分には同一番号を付し、必要がない限り説明は省略する。また、詳細は異なるが、図３と機能が対応する部分には、三百番台の番号を付すとともにその下二桁を同じ数字にして対応関係を示す。
【００４４】
図６の第３実施例における手元コントローラ３３６の構成は、図３の第１実施例と共通である。これに対し、照明器具３３４については、長管蛍光灯型ＬＥＤ照明灯管３０２に交換時期情報ＩＣタグ４０２が内蔵され、その情報を非接触で読み書きするＩＣタグリーダライタ４０４が照明器具３３４に設けられている。交換時期情報ＩＣタグ４０２には出荷時に長管蛍光灯型ＬＥＤ照明灯管３０２のＩＤおよび製造年月日が入力されている。
【００４５】
第３実施例では、長管蛍光灯型ＬＥＤ照明灯管３０２のＩＤを指定してその交換時期をチェックする操作が操作部４８によってなされたとき、手元制御部４６が電力線３８を介して照明器具制御部４４と通信し、ＩＣタグリーダライタ４０４によって交換時期情報ＩＣタグ４０２から長管蛍光灯型ＬＥＤ照明灯管２の製造年月日情報が読み出されて電力線３８に出力される。手元制御部４６はこれを受けて時計５４の現在年月日情報と比較し、交換時期が到来していればこれを表示部５８に表示する。
【００４６】
上記のように、第３実施例における交換時期の判断は、長管蛍光灯型ＬＥＤ照明灯管３０２の実際の使用開始時点ではなく出荷時点を基準にして行われる。このように、第３実施例では、長管蛍光灯型ＬＥＤ照明灯管３０２の寿命は極めて長いことを前提に、出荷時点と使用開始時点との差を問題にしない交換管理を行っている。予備的に購入された長管蛍光灯型ＬＥＤ照明灯管３０２が長期間使用されないまま保管されることも考えられるが、長管蛍光灯型ＬＥＤ照明灯管３０２は長寿命であるとともに突然点灯不能となることもないので、このような長期間のストックはないものとの前提での管理が可能である。
【００４７】
以上のような管理の場合、ＩＣタグリーダライタ４０４に要求される機能は単に読み取り機能だけなので、これをＩＣタグリーダとして構成を簡単にすることが可能である。しかしながら、図６の第３実施例においても、図３の第１実施例と同様にして長管蛍光灯型ＬＥＤ照明灯管３０２の装着時点でこれを検出し、時計５４から装着時点の年月日情報をもらって交換時期情報ＩＣタグの年月日情報を上書きする制御することも可能である。
【００４８】
また、図６の第３実施例における交換時期情報の伝達は電力線３８によるものに限らず、図４および図５の第２実施例のようにスイッチ制御線２０２を介した電力線通信によるよう構成してもよい。この場合、図５において説明したスイッチオフ時に通信する構成は、長管蛍光灯型ＬＥＤ照明灯管３０２の点灯中におけるノイズの影響を受けずに非接触でＩＣタグの情報を読み取る上でも意味がある。
【００４９】
図７は、図１および図２に示したＬＥＤ照明灯管２を含む本発明の照明システムの第３実施例を示すブロック図である。これまで説明した実施例と同一の部分には同一番号を付し、必要がない限り説明は省略する。また、詳細は異なるが、これまでの実施例と共通する部分には、五百番台の番号を付すとともにその下二桁を同じ数字にして対応関係を示す。図７の第４実施例は、長管蛍光灯型ＬＥＤ照明灯管５０２に交換時期情報不揮発メモリ６０２が内蔵されており、図６の第３実施例と同様にして出荷時にＩＤおよび製造年月日が入力されている。長管蛍光灯型ＬＥＤ照明灯管５０２は、さらに交換時期情報不揮発メモリ６０２の製造年月日情報を読み出して電力線６０４に合成するためのＰＬＣ合成部６０６を内蔵している。
【００５０】
図７の第４実施例における手元コントローラ５３６は、図４の第２実施例と同様にして、照明器具５３４の電源部５４２から引き出されたスイッチ制御線２０２に接続されるスイッチ２０４を有し、これを操作部４８の操作に応答する手元制御部５４６の制御で開閉することにより長管蛍光灯型ＬＥＤ照明灯管５０２の点灯および消灯を制御する。但し、図４とは異なり、手元コントローラ５３６と照明器具５３４との通信は、スイッチ制御線２０２経由でなく、図３の第１実施例と同様にして電力線３８経由で行われる。このため、電源部６０はＰＬＣ分波部５５０を介して電力線３８と接続されている。
【００５１】
図７の第４実施例では、長管蛍光灯型ＬＥＤ照明灯管５０２のＩＤを指定してその交換時期をチェックする操作が操作部４８によってなされたとき、手元制御部５４６が電力線３８を介して照明器具５３４から情報を入手する。具体的には、ＰＬＣ合成部６０６から電力線３８に出力される該当するＩＤの長管蛍光灯型ＬＥＤ照明灯管５０２における製造年月日情報をＰＬＣ分波部５５０から取り込む。手元制御部５４６は、取り込んだ製造日時情報を時計５４の現在年月日情報と比較し、交換時期が到来していればこれを表示部５８に表示する。このように、第４実施例においても、第３実施例と同様、交換時期の判断は、長管蛍光灯型ＬＥＤ照明灯管５０２の実際の使用開始時点ではなく出荷時点を基準にして行われる。以上のような第４実施例の場合、長管蛍光灯型ＬＥＤ照明灯管５０２に情報出力のための構成が内蔵されているため、照明器具５３４には交換時期管理のための格別の構成は不要となり、従来の照明器具による実施も可能となる。
【００５２】
図８は、図７の第４実施例における電力線通信の詳細を示すことを目的とするブロック図であり、対応する構成には同一番号を付す。また、図８でも、図７の構成のうち上記の目的に関連しない部分の図示を省略している。図５と同様にして、図８でも電力線３８から引き込まれた電力線はその第１線２１２が長管蛍光灯型ＬＥＤ照明灯管５０２の発光主要部７０２に直結しているのに対し、第２線２１４は電源部５４２において第１スイッチ制御線２１６および第２スイッチ制御線２１８として引き出され、スイッチ２０４を介して発光主要部７０２に接続されている。このようにして、図５と同様にスイッチ２０４の開閉に伴う長管蛍光灯型ＬＥＤ照明灯管５０２の点灯または消灯の制御が可能となっている。
【００５３】
ＰＬＣ合成部６０６およびＰＬＣ分波部５５０は、それぞれ、高周波の信号成分のみを電力線３８に合成し、分波する。なお、上記のように電力線３８の第２線２１４はスイッチ２０４に接続されているので、スイッチ２０４が開いていると、このままではＰＬＣ合成部６０６から電力線３８への信号ラインが確保できない。そこで、高周波のみを伝達する高周波カプラ７０４が第１スイッチ制御線２１６と第２スイッチ制御線２１８との間に設けられ、スイッチ２０４が開いて長管蛍光灯型ＬＥＤ照明灯管５０２が消灯している状態においても電力線３８への年月日情報の出力が可能なようにしている。このような高周波カプラ７０４も手元コントローラ５３６に配置することが可能であるため、照明器具５３４には交換時期管理のための格別の構成は不要であり、従来の照明器具による実施も可能となっている。
【００５４】
図９は、以上の実施例における手元制御部４６、１４６および５４６等の機能のフローチャートである。フローは長管蛍光灯型ＬＥＤ照明灯管２、３０２および５０２等が消灯している状態において手元コントローラの操作部４８が操作されることによってスタートする。まず、ステップＳ２では、過去の点灯の際に交換時期が到来した旨の記録の有無をチェックする。このような記録を行うための機能については後述する。記録がなければステップＳ４に進み、操作部４８の操作が点灯操作であったかどうかチェックする。そして点灯操作であればステップＳ６で長管蛍光灯型ＬＥＤ照明灯管２、３０２および５０２等の点灯を指示する。
【００５５】
次いでステップＳ８において、長管蛍光灯型ＬＥＤ照明灯管２、３０２および５０２等を交換すべきか否かの確認を行うための交換確認操作が操作部４８の操作がなされたか否かチェックする。そしてそのような操作がなければステップＳ１０に移行し、操作部４８による消灯操作の有無をチェックする。消灯操作がなければステップＳ８の交換確認操作の有無チェックに戻り、以下、交換確認操作および消灯操作がない限り、ステップＳ８およびステップＳ１０を繰り返す。これが、長管蛍光灯型ＬＥＤ照明灯管２、３０２および５０２等の点灯中の動作である。
【００５６】
ここで、ステップＳ８において交換確認操作があったことが検出されるとステップＳ１２に進み、長管蛍光灯型ＬＥＤ照明灯管２、３０２および５０２等の消灯を指示し、ステップＳ１４に進んで交換時期確認処理に入る。ステップＳ１４の内容は、既に述べた、照明器具からの年月日情報の取得および現在年月日情報との比較である。そしてステップＳ１６で比較結果に基づき、交換時期が到来しているかどうかチェックする。そして交換時期の到来がなければステップＳ１８に進み、長管蛍光灯型ＬＥＤ照明灯管２、３０２および５０２等の点灯を指示してステップＳ１０に移行する。ステップＳ１２における消灯は、既に述べたように後続する交換時期確認処理へのノイズ等を回避する意義を持つが、このような交換時期確認処理のための一時消灯は、交換時期が到来していなかった場合においても交換時期の確認が確実に行われたことの報知の意義も持つ。見かけ上の点灯に何も変化がなければ、交換時期が到来していないのか確認に失敗したのかの見分けがつかないからである。このような自然な消灯および再点灯を行うことにより、交換時期未到来という長期に渡って継続する通常状態において、「交換時期未到来」等の格別の表示を繰り返す煩わしさを避けることができる。
【００５７】
また、ステップＳ４でチェックされた操作部４８の操作が点灯操作でなかった場合は、交換確認操作であったことを意味するので点灯を指示することなく直接ステップＳ１４に移行する。この場合、ステップＳ１４で交換時期確認処理を行った後ステップＳ１６で交換時期到来が検出されなかった場合はステップＳ１８に至って点灯が指示されることになる。つまり、操作部４８の操作によってフローがスタートしたとき、その操作が何であっても交換時期が未到来であればステップＳ１８に至って長管蛍光灯型ＬＥＤ照明灯管２、３０２および５０２等の点灯が指示される。
【００５８】
一方、ステップＳ１６で交換時期の到来が検出されたときはステップＳ２０に移行し、表示部５８における交換勧告表示を指示してステップＳ１８に移行する。また、ステップＳ２において交換時期到来記録があった場合にも、直接ステップＳ２０に移行し、表示部５８における交換勧告表示を指示してステップＳ１８に移行する。
【００５９】
次に、消灯時の処理について説明する。ステップＳ１０で操作部４８による消灯操作が検出された場合はステップＳ２２に進み、交換時期確認処理における機能テスト処理および交換時期確認処理を行う。交換勧告表示は長管蛍光灯型ＬＥＤ照明灯管２、３０２および５０２等の交換を行ってから長期間が経過してから行われるものであり、その時の到来まで交換時期確認処理の機能が維持されている保証がないと、いざというときの信頼性がない。そこで、消灯操作が行われるたびにステップＳ２２において、手元コントローラによる照明器具からの年月日データ読み出し交信テストおよび手元制御部による比較機能のテスト、並びに表示部による表示機能のテストを行う。一方、交換確認の手動操作がなくても交換時期が到来したときは自動的にそれを表示するため、消灯操作が行われるたびにステップＳ２２において交換時期の確認処理を行っている。
【００６０】
ステップＳ２２による上記処理が完了すると、その結果に基づき、まずステップＳ２４で確認機能が正常であったかどうかのチェックが行なわれる。そして正常であれば、次いでステップＳ２６において交換時期が到来しているかどうかのチェックが行われる。この結果交換時期が到来していた場合は、交換時期到来記録を残してステップＳ３０に移行し、長管蛍光灯型ＬＥＤ照明灯管２、３０２および５０２等の消灯指示をしてフローを終了する。このとき残された交換時期到来記録は次の操作部４８の操作の際、ステップＳ２で検出されることになる。このように、消灯操作の後の自動検出においては、交換時期の到来が検出されても直ちに表示を行わず、次の操作があったときに表示を実行する。これは、消灯操作は通常作業終了時に行われ、照明装置への関心が薄れていると考えられるからである。なお、ステップＳ２６で交換時期到来が検出されなければ何も記録せず直接ステップＳ３０に至って消灯を指示し、フローを終了する。
【００６１】
一方ステップＳ２４で確認機能が正常であることの検出ができなければ直ちにステップＳ３２に進み、確認機能異常の表示指示を行ってステップＳ３０に移行する。確認機能の異常は、長期間を経た後の交換時期到来とは異なり、日常的にいつでも発生する可能性があり、また、万一異常があれば直ちに対応しておく必要があるので、このように消灯操作後に異常が検出されれば速やかにその表示を行う。
【００６２】
以下では、本明細書中に開示されている技術的特徴について総括的に説明する。
【００６３】
まず、本明細書中に開示されている技術的特徴によれば、ＬＥＤ照明灯が装着可能な照明器具と、ＬＥＤ照明灯の点灯を遠隔制御する制御部および照明器具からＬＥＤ照明灯の交換時期に関する情報を受信する受信部を備えた制御装置とを有する照明装置が提供される。これによって、照明器具を遠隔操作するための手元の制御装置によって高い天井等に設置されたＬＥＤ照明灯の交換時期に関する情報を把握することができる。
【００６４】
ＬＥＤ照明灯は通常の蛍光灯管に比較してその寿命が著しく長く長期間交換が不要なので、交換の容易でない高い天井への設置等に適する。しかしながら、その反面、長期間メンテナンスフリー状態が続くと前回の交換に関する記憶または記録が消失する可能性も高い。さらに、通常の蛍光灯管では、その寿命末期において点灯状態に明らかな異常が表れるかまたは点灯不能状態となるので交換の必要性は明確にわかるが、ＬＥＤ照明灯管は長期間の使用によって徐々に明るさが低下するだけで、明らかな異常状態や点灯不能状態が生じず、気づかないうちに照度不足の環境下で作業をしているという結果に陥る可能性もある。なお、本明細書中に開示されている上記特徴は、このようなＬＥＤ照明灯管の使用において、日常使用される手元の制御装置によってＬＥＤ照明灯の交換時期に関する情報を容易に把握することができるものである。
【００６５】
また、本明細書中に開示されている具体的な特徴によれば、照明器具にＬＥＤ照明灯の交換時期に関する情報を記憶する記憶部が備えられる。これによって、交換時期に関する情報を保持する機能のないＬＥＤ照明灯についてもその交換時期に関する情報を保持し、必要に応じ制御装置に伝達することが可能となる。さらに具体的な特徴によれば、ＬＥＤ照明灯の装着によって記憶部は、装着が行われた年月日情報などの交換時期に関する情報を記憶する。
【００６６】
また、本明細書中に開示されている他の具体的な特徴によれば、前記照明器具にはＬＥＤ照明灯が保持する交換時期に関する情報をＬＥＤ照明灯から取得する取得部が備えられる。このようにＬＥＤ照明灯自身が交換時期に関する情報を有することを前提とする場合は、照明器具には格別の情報記憶手段を設ける必要がなくこれを取得して制御装置に伝達できれば足りるので、照明器具の構成が簡単になる。
【００６７】
また、本明細書中に開示されている他の具体的な特徴によれば、制御部から照明器具への制御ラインと照明器具から受信部へのＬＥＤの交換時期に関する情報の伝達ラインが共通である。このように照明器具に元々必要な制御ラインを共用し、これを伝達ラインとすることによって、格別の信号伝達手段を設けることなしに照明器具から受信部へのＬＥＤの交換時期に関する情報を伝達することが可能となる。また、本明細書中に開示されているさらに具体的な特徴によれば、制御ラインと伝達ラインとして電力線が共用される。他のさらに具体的な特徴によれば、制御ラインと伝達ラインとしてＬＥＤ照明灯の点灯／消灯を制御するスイッチ制御線が共用される。
【００６８】
また、本明細書中に開示されている他の特徴によれば、ＬＥＤ照明灯の交換時期に関する情報を記憶するための記憶部と、ＬＥＤ照明灯の装着によって記憶部に交換時期に関する情報を記憶させる制御部と、記憶部に記憶されるＬＥＤ照明灯の交換時期に関する情報を外部に送信する送信部とを有する照明装置が提供される。これによって、交換時期に関する情報を保持する機能のないＬＥＤ照明灯についてもその交換時期に関する情報を保持し、必要に応じ制御装置に伝達することが可能となる。
【００６９】
また、本明細書中に開示されている他の特徴によれば、ＬＥＤ照明灯が有する交換時期に関する情報をＬＥＤ照明灯から取得する取得部と、取得部が取得したＬＥＤ照明灯の交換時期に関する情報を外部に送信する送信部とを有する照明装置が提供される。これによってＬＥＤ照明灯が装着される照明器具からＬＥＤ照明灯の交換時期に関する情報を外部に取り出し、その情報を把握することができる。
【００７０】
また、本明細書中に開示されている他の特徴によれば、ＬＥＤ照明灯が装着可能な照明器具と、電力線通信により照明器具からＬＥＤ照明灯の交換時期に関する情報を受信する受信部を備えた制御装置とを有する照明装置が提供される。これによって、照明器具に電力を供給するために元々存在する電力線を利用する電力線通信によって、高い天井等に設置されたＬＥＤ照明灯の交換時期に関する情報を容易に把握することができる。
【００７１】
また、本明細書中に開示されている他の特徴によれば、ＬＥＤ照明灯が装着可能な照明器具と、照明器具を制御するスイッチ制御線を通じた通信により前記照明器具からＬＥＤ照明灯の交換時期に関する情報を受信する受信部を備えた制御装置とを有する照明装置が提供される。これによって、照明器具の制御のために元々存在するスイッチ制御線を利用して高い天井等に設置されたＬＥＤ照明灯の交換時期に関する情報を容易に把握することができる。
【００７２】
また、本明細書中に開示されている他の特徴によれば、ＬＥＤ照明灯が装着可能な照明器具と、ＬＥＤ照明灯の非点灯時に照明器具からＬＥＤ照明灯の交換時期に関する情報を受信する受信部を備えた制御装置とを有する照明装置が提供される。これによってＬＥＤ照明灯点灯中におけるノイズ等の影響を受ける可能性のある簡易な情報伝達手段によっても照明器具からのＬＥＤ照明灯の交換時期に関する情報の伝達を実現することができ、目的の機能を低コストで付与することができる。より具体的な特徴によれば、制御装置は、受信部によるＬＥＤ照明灯の交換時期に関する情報の受信に先立ってＬＥＤ照明灯を非点灯状態に制御する。また、他のより具体的な特徴によれば、制御装置は、受信部によるＬＥＤ照明灯の交換時期に関する情報の受信後にＬＥＤ照明灯を点灯状態に自動的に制御する。
【００７３】
また、本明細書中に開示されている他の特徴によれば、ＬＥＤ照明灯が装着可能な照明器具と、照明器具からＬＥＤ照明灯の交換時期に関する情報を受信する受信部およびその機能を自動的に確認する確認部を備えた制御装置とを有する照明装置が提供される。ＬＥＤ照明灯の交換時期の報知はＬＥＤ照明灯装着後長期間の後となるが、その時になって報知が不能となってしまっているようなことがないよう、上記本発明の特徴によれば受信部の機能を日常的に自動的に確認する確認部が設けられる。
【００７４】
また、本明細書中に開示されている他の特徴によれば、ＬＥＤ照明灯が装着可能な照明器具と、照明器具からＬＥＤ照明灯の交換時期に関する情報をＬＥＤ照明灯の点灯制御操作に連動して自動的に受信する受信部を備えた制御装置とを有する照明装置が提供される。ＬＥＤ照明灯の交換時期の報知はＬＥＤ照明灯装着後長期間の後となるが、その間、交換時期確認の操作方法またはこのような機能があること自体が忘却されても対応ができるよう、本明細書中に開示されている上記特徴によればＬＥＤ照明灯の交換時期に関する情報をＬＥＤ照明灯の点灯制御操作に連動して日常的に自動的に受信する受信部が設けられる。
【００７５】
また、本明細書中に開示されている他の特徴によれば、ＬＥＤ照明灯が装着可能な照明器具と、照明器具からＬＥＤ照明灯の交換時期に関する情報を受信する受信部および受信した情報に基づいて交換時期を判断する判断部ならびに判断結果を記憶する記憶部を備えた制御装置とを有する照明装置が提供される。ＬＥＤ照明灯の交換時期の報知はＬＥＤ照明灯装着後長期間の後となるが、その間、交換時期に至っていないことを煩雑に通報されることは使用者にとって煩わしい。従って、本明細書中に開示されている上記特徴によれば交換時期の判断結果を記憶する記憶部を設け、その記憶部の情報に基づいて適切な時期に判断結果を報知することが可能なようにする。
【００７６】
また、本明細書中に開示されている他の特徴によれば、ＬＥＤ発光部と、交換時期に関する情報を保持する保持部と、保持部が保持する交換時期に関する情報を照明器具に伝達する伝達部とを有するＬＥＤ照明灯が提供される。これによって、交換時期に関する情報を記憶する記憶部が格別に照明器具自体に設けられていない場合であっても、この情報を照明器具経由で外部に伝達することができる。また、交換時期に関する情報はＬＥＤ照明灯が装着される照明器具に伝達されるため、接触型または極近距離費接触型等の簡便な伝達手段であってもＬＥＤ照明灯が保持する交換時期に関する情報を確実に外部に取り出すことができ、交換時期確認機能追加に伴うＬＥＤ照明灯または照明器具の過度のコストアップを防止できる。
【産業上の利用可能性】
【００７７】
本発明は、種々の使用状況に適合した照明装置を提供する上で有用な技術である。
【符号の説明】
【００７８】
２、３０２、５０２  ＬＥＤ照明灯
３４、１３４、３３４、５３４  照明器具
４６、４８、１４６、２０４、５４６  制御部
４６、５０、１４６、２０８、５４６、５５０  受信部
３６、１３６、３３６、５３６  制御装置
５６  記憶部
５２  ＬＥＤ照明灯装着検知部
４０２、６０２  ＬＥＤ照明灯内情報保持部
４０４  取得部
３８  電力線
２０２  スイッチ制御線
４４、１４４  照明器具内制御部
４０、４４、１４４、２０６  送信部
４６、１４６、５４６  確認部
４６、１４６、５４６  判断部
４６、１４６、５４６  判断結果の記憶部
【図１】
2010061827.tif 000003
【図２】
2010061827.tif 000004
【図３】
2010061827.tif 000005
【図４】
2010061827.tif 000006
【図５】
2010061827.tif 000007
【図６】
2010061827.tif 000008
【図７】
2010061827.tif 000009
【図８】
2010061827.tif 000010
【図９】
2010061827.tif 000011
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
ＬＥＤ照明灯を光源とする照明器具と、
前記ＬＥＤ照明灯の点灯を遠隔制御するとともに前記照明器具から前記ＬＥＤ照明灯の交換時期に関する情報を遠隔受信する遠隔制御装置と
を有することを特徴とする照明装置。
【請求項２】
前記ＬＥＤ照明灯の交換時期に関する情報を記憶する記憶部を前記照明器具に備えたことを特徴とする請求項１記載の照明装置。
【請求項３】
前記ＬＥＤ照明灯は前記照明器具に着脱可能に構成されるとともに、前記ＬＥＤ照明灯の装着によって前記記憶部は前記交換時期に関する情報を記憶することを特徴とする請求項２記載の照明装置。
【請求項４】
前記ＬＥＤ照明灯は前記照明器具に着脱可能に構成されるとともに、前記ＬＥＤ照明灯が保持する交換時期に関する情報を前記ＬＥＤ照明灯から取得する取得部を前記照明器具に備えたことを特徴とする請求項１記載の照明装置。
【請求項５】
前記遠隔制御装置から前記照明器具への制御ルートと前記照明器具から前記遠隔制御装置への前記ＬＥＤ照明灯の交換時期に関する情報の伝達ルートが共通であることを特徴とする請求項１記載の照明装置。
【請求項６】
前記制御ルートと前記伝達ルートが電力線であることを特徴とする請求項５記載の照明装置。
【請求項７】
前記制御ルートが前記ＬＥＤ照明灯のオンオフを制御するスイッチ制御信号伝達ルートであるとともに、前記スイッチ制御信号伝達ルートが前記ＬＥＤ照明灯の交換時期に関する情報の伝達ルートとして兼用されることを特徴とする請求項５記載の照明装置。
【請求項８】
前記ＬＥＤ照明灯は前記照明器具に着脱可能に構成されるとともに、前記照明器具は、前記ＬＥＤ照明灯の交換時期に関する情報を記憶するための記憶部と、前記ＬＥＤ照明灯の装着によって前記記憶部に前記交換時期に関する情報を記憶させる制御部と、前記記憶部に記憶される前記ＬＥＤ照明灯の交換時期に関する情報を外部に送信する送信部とを有することを特徴とする請求項１記載の照明装置。
【請求項９】
前記ＬＥＤ照明灯は前記照明器具に着脱可能に構成されるとともに、前記照明器具は、前記ＬＥＤ照明灯が有する交換時期に関する情報を前記ＬＥＤ照明灯から取得する取得部と、前記取得部が取得した前記ＬＥＤ照明灯の交換時期に関する情報を外部に送信する送信部とを有することを特徴とする請求項１記載の照明装置。
【請求項１０】
前記遠隔制御装置は、受信した前記ＬＥＤ照明灯の交換時期に関する情報に基づく表示を行う表示部を有することを特徴とする請求項１記載の照明装置。
【請求項１１】
前記表示部は、前記ＬＥＤ照明灯の点灯の遠隔制御に関連して前記ＬＥＤ照明灯の交換時期に関する情報に基づく表示を行うことを特徴とする請求項１０記載の照明装置。
【請求項１２】
前記遠隔制御装置は、前記ＬＥＤ照明灯の非点灯時に前記照明器具から前記ＬＥＤ照明灯の交換時期に関する情報を受信することを特徴とする請求項１記載の照明装置。
【請求項１３】
前記遠隔制御装置は、前記受信部による前記ＬＥＤ照明灯の交換時期に関する情報の受信に先立って前記ＬＥＤ照明灯を非点灯状態に制御することを特徴とする請求項１２記載の照明装置。
【請求項１４】
前記遠隔制御装置は、前記受信部による前記ＬＥＤ照明灯の交換時期に関する情報の受信後に前記ＬＥＤ照明灯を点灯状態に制御することを特徴とする請求項１２記載の照明装置。
【請求項１５】
ＬＥＤ照明灯を光源とする照明器具と、
前記照明器具から前記ＬＥＤ照明灯の交換時期に関する情報を受信する受信部および前記受信部の機能を自動的に確認する確認部を備えた制御装置と
を有することを特徴とする照明装置。
【請求項１６】
前記制御装置は、前記ＬＥＤ照明灯の点灯を遠隔制御する制御部を有するとともに、前記制御部による前記ＬＥＤ照明灯の点灯制御に関連して前記照明器具から前記ＬＥＤ照明灯の交換時期に関する情報を自動的に受信することを特徴とする請求項１５記載の照明装置。
【請求項１７】
前記制御装置は、前記受信部の機能の自動確認結果を表示する表示部を有することを特徴とする請求項１５記載の照明装置。
【請求項１８】
ＬＥＤ照明灯を光源とする照明器具と、
前記照明器具から前記ＬＥＤ照明灯の交換時期に関する情報を前記ＬＥＤ照明灯の非点灯時に受信する受信部を備えた制御装置と、
を有することを特徴とする照明装置。
【請求項１９】
前記制御装置は、前記受信部による前記ＬＥＤ照明灯の交換時期に関する情報の受信に先立って前記ＬＥＤ照明灯を非点灯状態に制御する制御部を有することを特徴とする請求項１８記載の照明装置。
【請求項２０】
前記制御装置は、前記受信部による前記ＬＥＤ照明灯の交換時期に関する情報の受信後に前記ＬＥＤ照明灯を点灯状態に制御する制御部を有することを特徴とする請求項１８記載の照明装置。
【手続補正２】
【補正対象書類名】明細書
【補正対象項目名】００１０
【補正方法】変更
【補正の内容】
【００１０】
また、上記第１の構成から成る照明装置は、前記遠隔制御装置から前記照明器具への制御ルートと前記照明器具から前記遠隔制御装置への前記ＬＥＤ照明灯の交換時期に関する情報の伝達ルートが共通である構成（第５の構成）にするとよい。
【手続補正３】
【補正対象書類名】明細書
【補正対象項目名】００１９
【補正方法】変更
【補正の内容】
【００１９】
また、上記第１２の構成から成る照明装置において、前記遠隔制御装置は、前記受信部による前記ＬＥＤ照明灯の交換時期に関する情報の受信後に前記ＬＥＤ照明灯を点灯状態に制御する構成（第１４の構成）にするとよい。
【手続補正４】
【補正対象書類名】明細書
【補正対象項目名】００２７
【補正方法】変更
【補正の内容】
【００２７】
【図１】本発明の実施の形態に係る長管蛍光灯型ＬＥＤ照明灯管の斜視図である。
【図２】図１の内部構成を示す一部斜視図である。
【図３】ＬＥＤ照明灯管を含む本発明の照明システムの第１実施例を示すブロック図である。
【図４】ＬＥＤ照明灯管を含む本発明の照明システムの第２実施例を示すブロック図である。
【図５】図４の第２実施例におけるスイッチ制御線による通信の詳細を示すブロック図である。
【図６】ＬＥＤ照明灯管を含む本発明の照明システムの第３実施例を示すブロック図である。
【図７】ＬＥＤ照明灯管を含む本発明の照明システムの第４実施例を示すブロック図である。
【図８】図７の第４実施例における電力線通信の詳細を示すブロック図である。
【図９】各実施例における手元制御部の機能のフローチャートである。
【手続補正５】
【補正対象書類名】明細書
【補正対象項目名】００７６
【補正方法】変更
【補正の内容】
【００７６】
また、本明細書中に開示されている他の特徴によれば、ＬＥＤ発光部と、交換時期に関する情報を保持する保持部と、保持部が保持する交換時期に関する情報を照明器具に伝達する伝達部とを有するＬＥＤ照明灯が提供される。これによって、交換時期に関する情報を記憶する記憶部が格別に照明器具自体に設けられていない場合であっても、この情報を照明器具経由で外部に伝達することができる。また、交換時期に関する情報はＬＥＤ照明灯が装着される照明器具に伝達されるため、接触型または極近距離非接触型等の簡便な伝達手段であってもＬＥＤ照明灯が保持する交換時期に関する情報を確実に外部に取り出すことができ、交換時期確認機能追加に伴うＬＥＤ照明灯または照明器具の過度のコストアップを防止できる。
【手続補正６】
【補正対象書類名】図面
【補正対象項目名】図８
【補正方法】変更
【補正の内容】
【図８】
2010061827.tif 000012
【国際調査報告】
2010061827.tif 000013
2010061827.tif 000014
2010061827.tif 000015
2010061827.tif 000016